(57)【特許請求の範囲】
【請求項１】
流体を噴霧する装置であって、複数回分与できる量の流体を収容するタンク（１１）と、このタンク（１１）を受け入れている円筒形の基体（１４）と、分与部材と、手動作動要素（２０）と、この手動作動要素（２０）と協働して前記タンク（１１）の内容物を少なくとも２回の分与に分割する分割装置（１６）と、作動中に前記手動作動要素（２０）と協働して使用者の手にエネルギを蓄積させ、各作動における一回分の量の流体全部の完全な噴霧を保証するエネルギ蓄積装置（１２）とを包含する装置において、前記基体（１４）と、前記分割装置（１６）と、前記エネルギ蓄積装置（１２）とが共通の一片ブロック（１０）の一体部分を形成すると共に、前記分割装置（１６）が前記一片ブロック（１０）の内面に設けられていることを特徴とする装置。
【請求項２】
請求項１記載の装置において、前記タンク（１１）が前記一片ブロック（１０）と一体に形成されている装置。
【請求項３】
請求項１又は２記載の装置において、更に、前記手動作動要素（２０）と協働して装置の作動を選択的に許す又は防止する割出し装置（１５）を包含し、この割出し装置（１５）が前記一片ブロック（１０）と一体に形成されている装置。
【請求項４】
請求項３記載の装置において、前記割出し装置が前記一片ブロック（１０）の内面の一部分に設けられているひとつ又はそれ以上の肥厚部（１５）により形成され、この肥厚部（１５）が前記手動作動要素（２０）の第１の位置では前記手動作動要素（２０）の内部に突出しているひとつ又はそれ以上のタブ（２５）と協働して装置の作動を停止し、また前記手動作動要素（２０）が前記一片ブロック（１０）に関して回転して第２の位置に移動可能であり、この第２の位置では前記タブ（２５）がもはや前記肥厚部（１５）とは協働せず、これにより装置を作動させることができるようにした装置。
【請求項５】
請求項１〜４のいずれか一項に記載の装置において、前記エネルギ蓄積装置（１２）は、予め決められている最小の力が前記手動作動要素（２０）に及ぼされたときに前記手動作動要素（２０）を弾性的に変形させることにより、前記手動作動要素（２０）と協働するようにした装置。
【請求項６】
請求項５記載の装置において、前記エネルギ蓄積装置が前記一片ブロック（１０）の外面に形成されているスタッド（１２）であり、このスタッド（１２）が前記手動作動要素（２０）の内面に設けられて対応する肩部（２２）と協働するようにした装置。
【請求項７】
請求項３記載の装置において、前記分割装置が割出し装置として働く前記肥厚部（１５）と一緒に少なくともひとつの軸方向に向いた段を形成する肥厚部（１６）により形成されている装置。
【請求項８】
請求項１記載の装置において、流体を２回分与できるようにされた２回分与式分与器であり、前記手動作動要素（２０）が前記一片ブロック（１０）に回転可能に取付けられ、前記一片ブロック（１０）が第１の割出し装置（１５）と、第１のエネルギ蓄積装置（１２）と、分割装置（１６）と、第２のエネルギ蓄積装置（１３）とを包含し、
前記第１の割出し装置（１５）は前記基体（１４）の内周面の第１の部分にわたって延びているひとつ又はそれ以上の肥厚部（１５）により形成され、この肥厚部（１５）が前記手動作動要素（２０）の第１の位置では前記手動作動要素（２０）の中に突出しているひとつ又はそれ以上の軸方向タブ（２５）と協働して１回目の分与がなされるのを停止し、
前記第１のエネルギ蓄積装置（１２）は前記基体（１４）から突出しているひとつ又はそれ以上のスタッド（１２）により形成され、前記第１の割出し装置（１５）がもはや前記手動作動要素（２０）とは協働しない第２の位置への前記手動作動要素（２０）の第１の回転の後、前記スタッド（１２）が前記手動作動要素（２０）の内面に設けられているひとつ又はそれ以上の肩部（２２）と協働し、これにより装置の作動中に使用者の手にエネルギを蓄積せしめ、前記肩部（２２）は予め決められている最小の力が加えられた後でのみ前記スタッド（１２）を越えて通過し、これにより前記手動作動要素（２０）が前記一片ブロック（１０）に関して動いて１回目の分与を行なうことができるようにし、
前記分割装置（１６）は前記基体（１４）の内周面の第２の部分にわたって延びているひとつ又はそれ以上の肥厚部（１６）により形成され、この肥厚部（１６）は１回目の分与がなされた後に前記手動作動要素（２０）の前記軸方向タブ（２５）と協働して前記一片ブロック（１０）上での前記手動作動要素（２０）の更なる軸方向移動を停止し、これにより前記タンク（１１）の内容物を２回の分与に分割して、前記分割装置（１６）が同時に第２の割出し装置として働くようにし、
前記第２のエネルギ蓄積装置（１３）は前記基体（１４）の外面から突出しているひとつ又はそれ以上のスタッド（１３）により形成され、前記第２の割出し装置（１６）がもはや前記手動作動要素（２０）とは協働しない第３の位置への前記手動作動要素（２０）の第２の回転の後、前記スタッド（１３）が前記手動作動要素（２０）の前記肩部（２２）と協働して使用者の手にエネルギを蓄積せしめ、これにより予め決められた最小の力が加えられた後でのみ２回目の分与を行なうことができるようにした装置。
【請求項９】
請求項６又は８記載の装置において、前記第１及び第２のエネルギ蓄積装置の各々は一対の直径方向で対向して突出するスタッド（１２，１３）を包含し、これらの二対のスタッド（１２，１３）が前記一片ブロック（１０）の外面上で互いに関して軸方向及び周方向にオフセットされている装置。
【請求項１０】
請求項８又は９記載の装置において、前記手動作動要素（２０）の前記第１の位置で、前記手動作動要素（２０）の前記肩部（２２）が、前記一片ブロック（１０）の周囲縁に設けられている締結装置（１９）と協働して、前記手動作動要素（２０）を前記一片ブロック（１０）に保持するようにした装置。
【請求項１１】
請求項８記載の装置において、前記一片ブロック（１０）が、その外面に、前記手動作動要素（２０）と協働して前記手動作動要素の前記第１の位置を限定する第１の回転当接装置（１８ａ）と、前記手動作動要素（２０）と協働して前記手動作動要素の前記第２の位置を限定する第２の回転当接装置（１８ｂ）と、前記手動作動要素（２０）と協働して前記手動作動要素の前記第３の位置を限定する第３の回転当接装置（１８ｃ）とを包含している装置。
【請求項１２】
請求項１０記載の装置において、前記肩部（２２）が前記締結装置（１９）とスナップ係合により協働するようにした装置。
【請求項１３】
請求項１〜１２のいずれか一項に記載の装置において、前記分与部材がポンプである装置。
【発明の詳細な説明】
本発明は、流体を噴霧する装置、より詳細には、流体を少なくとも２回分与できるように設計されているこの種の噴霧装置に関する。
この種の装置には、幾つかの問題が生じている。すなわち、生じている第１の問題は、装置が作動されたときに一回分の量の流体全部の完全な噴霧を得ることの問題である。他の問題は、装置を２回分与式分与器に変えることができるようにするために、タンクの内容物が簡単かつ確実な方法で分割されるのを保証することの問題である。
これらの問題を解決する試みにおいて、文献ＷＯ  ９３／０２８０４はこれらの問題を取り扱っている。この文献は、例えば２回分与式分与器のような装置であって、基体に取付られているタンクと、装置を作動せしめるプッシャとを包含する装置を開示している。プッシャの一部分はタンクの外壁に形成された溝に設けられている割りリングと協働しており、その結果、１回目の分与を行なうことができるようにするためには、割りリングがその溝を去るまで使用者の手に一定量の力を確立せしめることが必要とされる。また、タンクの内容物を２回の分与に分割するために、上記文献ＷＯ  ９３／０２８０４の装置は、タンクの外壁に第２の溝を形成し、この第２の構内に第２の割りリングを設けるようにしており、その結果、装置が作動されて１回目分の流体が放出された後に、第１の割りリングを第２の構内に設けられている第２の割りリングにより停止することがプッシャに追加されている。その後、２回目分の流体を噴霧をするためには、再び一定量の力を確立せしめることが必要とされ、これにより第２の割りリングがその溝を去って、２回目の分与を行なうことができるようにされる。この装置は、満足する方法で作動するものにもかかわらず、やはり問題があるものである。すなわち、小量の流体がタンクに収容されているだけであることから、主たる問題は前記噴霧装置の最終販売価格に悪い影響を及ぼすのを除去するために前記噴霧装置のコストをできるだけ低く維持することにある。しかしながら、上記文献ＷＯ９３／０２８０４に開示されている装置は、エネルギ蓄積作用及び分与分割作用を行なうのに必要である多数の異なる構成部品を有している。したがって、これら多数の構成部品の製作及び組立てはかなり高価となる。また、タンクの外面には２つの周囲溝が存在するために、特に、タンクと基体とを単一片として作るのが不可能である。なぜなら、前記溝はタンクと基体との間に画成されている中空の環状スペースに位置させられるからである。更に、エネルギ蓄積作用を行うために可動装置を使用することは、前記割りリングが破損又は故障で動くなった場合に作動が不完全となる危険が生じる。
文献ＥＰ−０  ５４６  ６０７は、本体の内壁に周囲溝を有している１回分与式分与器を開示しており、前記周囲溝は装置が偶然に作動するのを防止するためにタンクの外壁の周囲リングと協働する。しかし、この種の装置の欠点は、簡単かつ低コストのモールドを作ることが困難であることである。すなわち、本体の内壁の溝はアンダーカット及びそれ故相当複雑とされるモールドの使用を必要とする。
文献ＥＰ−０  ３１１  ８６３は、本体に係合されてタンクと協働する部品に設けられている分与分割装置を有する２回分与式分与器を開示している。しかし、この分与器はエネルギ蓄積装置を有しておらず、追加の部品の使用を必要とし、分与分割装置が設けられている前記部品のモールディングも前述したと同じ欠点を受け、すなわちモールドが複数とされて高価である。
本発明の目的は、前述した欠点を有することのないこの種の流体噴霧装置を提供することにある。
すなわち、本発明の目的は最少数の構成部品を包含する流体噴霧装置を提供することにある。
本発明の他の目的は、確実な分与分割と、製作コストの保証、より詳細には、モールディング及び組立てのコストをできる限り小さくすることを成し遂げることができるこの種の装置を提供することにある。
本発明の更に他の目的は、例えば２回分与式分与器のような流体噴霧装置であって、各一回分の量の流体全部の完全な噴霧を保証でき、その上製作、組立て及び使用するのが簡単であり、かつできる限り最小のコストとすることができるこの種の装置を提供することにある。
以上述べた目的を達成するために、本発明は、流体を噴霧する装置であって、複数回分与できる量の流体を収容するタンクと、このタンクを受け入れている円筒形の基体と、分与部材と、手動作動要素と、この手動作動要素と協働して前記タンクの内容物を少なくとも２回の分与に分割する分割装置と、作動中に前記手動作動要素と協働して使用者の手にエネルギを蓄積させ、各作動における一回分の量の流体全部の完全な噴霧を保証するエネルギ蓄積装置とを包含する装置において、前記基体と、前記分割装置と、前記エネルギ蓄積装置とが共通の一片ブロックの一体部分を形成すると共に、前記分割装置が前記一片ブロックの内面に設けられていることを特徴とする装置、を提供する。
好適には、前記タンクは前記一片ブロックと一体に形成される。
好適には、前記流体噴霧又は分与装置は、更に、前記手動作動要素と協働して装置の作動を選択的に許す又は防止する割出し装置を包含し、この割出し装置が前記一片ブロックと一体に形成されている。
有益には、前記割出し装置は、前記一片ブロックの内面の一部分に設けられているひとつ又はそれ以上の肥厚部により形成され、この肥厚部が前記手動作動要素の第１の位置では前記手動作動要素の内部に突出しているひとつ又はそれ以上のタブと協働して装置の作動を停止し、また前記手動作動要素が前記一片ブロックに関して回転して第２の位置に移動可能であり、この第２の位置では前記タブがもはや前記肥厚部とは協働せず、これにより装置を作動させることができる。
好適には、前記エネルギ蓄積装置は、予め決められている最小の力が前記手動作動要素に及ぼされたときに前記手動作動要素を弾性的に変形させることにより、前記手動作動要素と協働する。
有益には、前記エネルギ蓄積装置は前記一片ブロックの外面に形成されているスタッドであり、このスタッドが前記手動作動要素の内面に設けられて対応する肩部と協働する。
有益には、前記分割装置は割出し装置として働く前記肥厚部と一緒に少なくともひとつの軸方向に向いた段を形成する肥厚部により形成されている。
本発明の好適な実施例によれば、前記流体噴霧又は分与装置は、流体を２回分与できるようにされた２回分与式分与器であり、前記手動作動要素が前記一片ブロックに回転可能に取付けられ、前記一片ブロックが第１の割出し装置と、第１のエネルギ蓄積装置と、分割装置と、第２のエネルギ蓄積装置とを包含し、
前記第１の割出し装置は前記基体の内周面の第１の部分にわたって延びているひとつ又はそれ以上の肥厚部により形成され、この肥厚部が前記手動作動要素の第１の位置では前記手動作動要素の中の突出しているひとつ又はそれ以上の軸方向タブと協働して１回目の分与がなされるのを停止し、
前記第１のエネルギ蓄積装置は前記基体から突出しているひとつ又はそれ以上のスタッドにより形成され、前記第１の割出し装置がもはや前記手動作動要素とは協働しない第２の位置への前記手動作動要素の第１の回転の後、前記スタッドが前記手動作動要素の内面に設けられているひとつ又はそれ以上の肩部と協働し、これにより装置の作動中に使用者の手にエネルギを蓄積せしめ、前記肩部は予め決められている最小の力が加えられた後でのみ前記スタッドを越えて通過し、これにより前記手動作動要素が前記一片ブロックに関して動いて１回目の分与を行なうことができるようにし、
前記分割装置は前記基体の内周面の第２の部分にわたって延びているひとつ又はそれ以上の肥厚部により形成され、この肥厚部は１回目の分与がなされた後に前記手動作動要素の前記軸方向タブと協働して前記一片ブロック上での前記手動作動要素の更なる軸方向を停止し、これにより前記タンクの内容物を２回の分与に分割して、前記分割装置が同時に第２の割出し装置として働くようにし、
前記第２のエネルギ蓄積装置は前記基体の外面から突出しているひとつ又はそれ以上のスタッドにより形成され、前記第２の割出し装置がもはや前記手動作動要素とは協働しない第３の位置への前記手動作動要素の第２の回転の後、前記スタッドが前記手動作動要素の前記肩部と協働して使用者の手にエネルギを蓄積せしめ、これにより予め決められた最小の力が加えられた後でのみ２回目の分与を行なうことができるようにする。
有益には、前記第１及び第２のエネルギ蓄積装置の各々は一対の直径方向で対向して突出するスタッドを包含し、これらの二対のスタッドが前記一片ブロックの外面上で互いに関して軸方向及び周方向にオフセットされている。
好適には、前記手動作動要素の前記第１の位置で、前記手動作動要素の前記肩部が、前記一片ブロックの周囲縁に設けられている締結装置と協働して、前記手動作動要素を前記一片ブロックに保持する。
好適には、前記一片ブロックは、その外面に、前記手動作動要素と協働して前記手動作動要素の前記第１の位置を限定する第１の回転当接装置と、前記手動作動要素と協働して前記手動作動要素の前記第２の位置を限定する第２の回転当接装置と、前記手動作動要素と協働して前記手動作動要素の前記第３の位置を限定する第３の回転当接装置とを包含する。
好適には、前記肩部は前記締結装置とスナップ係合により協働する。
好適には、前記分与部材はポンプである。
本発明の他の特徴及び利点は、添付図面を参照して非限定的な一例として述べられる下記の詳細な説明から明らかになるであろう。
図１は、本発明の好適な実施例を構成する流体噴霧又は分与装置の垂直断面図であって、その休止状態を示す。
図２は、作動要素の垂直断面図であって、その軸方向タブを示す。
図３ａ及び図３ｂは、本発明の好適な実施例を構成する分与装置を示す垂直断面図であって、それぞれ、作動を防止する休止状態及び１回目の分与を行うことができる準備状態を示す。
図４、図５及び図６は、それぞれ本発明の好適な実施例を構成する分与装置の斜視図である。
図７ａ及び図７ｂは、それぞれ手動作動要素の斜視図である。
図８及び図９は、それぞれ一片ブロックの斜視図である。
図１〜図３ｂを参照するに、本発明の分与装置は、基体１４に取付けられて分与しようとする流体を収容しているタンク１１と、例えばポンプのような分与部材と、流体を分与する目的のために分与部材を作動せしめる例えばプッシャのような手動作動部材又は要素２０とを包含する。この手動作動要素２０には、出口オリフィス２９が設けられ、この出口オリフィス２９を通して前記流体が噴霧される。ポンプはタンク１１内に滑動可能に受け入れられているピストン１を有し、このピストン１の内部は放出チャンネル３を介して出口オリフィス２９に接続されている。有益には、ノズル２が前記放出チャンネル内に設けられて噴霧を増強せしめる。
本発明によれば、分与装置は分与分割装置１６を有する。この分与分割装置は、タンクの内容物を２回又はそれ以上の回数の分与に分割し、これにより分与器を多数回分与できる多分与式分与器、有益には２回分与式分与器、すなわち２回分与できる分与器に変えることができるように設計されている。図面に示されている例は、特に鼻用噴霧器に関し、この鼻用噴霧器は２回分与式分与器として作動し、各一回の分与は各鼻孔のために用いられる。勿論、本発明はこの特別の適用に限定されるものではない。
一回分の量の流体全部の完全な噴霧を保証するために、本発明はエネルギ蓄積装置１２を提供するものであり、このエネルギ蓄積装置１２は、噴霧装置の作動中に手動作動要素２０と協働して、使用者の手にエネルギを蓄積せしめる。有益には、前記エネルギ蓄積装置は、予め決められた最小の力が前記手動作動要素２０に及ぼされたときにエネルギ蓄積装置が手動作動要素を弾性的に変形させるように手動作動要素と協働する。
本発明の特徴によれば、前記基体１４と、前記エネルギ蓄積装置１２と、前記分与分割装置１６とは単一の一片ブロック１０の形で実施されている。この実施によれば、分与装置の構成部品の数及びそれ故分与装置の製作、組立てコストを減少することができる。特に、上記文献ＷＯ  ９３／０２８０４に開示されている分与装置と比較すると、本発明による分与装置の製作及び組立ては、もはやエネルギを蓄積するための可動装置（割りリング）を設けることを必要としないので、簡単である。また、割りリングは分与装置が作動している間に破損又は故障して動かなくなることもあるので、本発明による分与装置の信頼性も改善される。
図面に示されるように、タンク１１も好適には一片ブロック１０と一体に形成され、一片ブロック１０は好適には２つの同心の中空シリンダを包含し、内側のシリンダはタンク１１を画成し、一方外側のシリンダは外面上に前記エネルギ蓄積装置１２を有する基体１４を形成する。これら２つの同心のシリンダは、好適には、それらの底部端のレベルで実質的に水平な環状フランジにより相互に接続され、これにより基体１４の内面とタンク１１の外面との間に環状の中空スペースを画成する。
本発明の好適な実施例（本発明により提供される利点のすべてを兼ね備えている）において、分与装置は、また、エネルギ蓄積装置１２及び分与分割装置１６に加えて、割出し装置１５を有している。この割出し装置は、特に、例えば輸送中の好ましくない作動に対する安全性を保証するために、分与装置の作動を選択的に防止又は許すようにしている。
本発明の有益な特徴によれば、前記割出し装置は、特に図９に見ることができるように、一片ブロック１０と一体に形成される。より詳細には、これらの割出し装置は、基体１４の内面に設けられたひとつ又はそれ以上の肥厚部１５の形で形成され、これらの肥厚部１５は前記基体１４の内周面の一部分にわたって延びている。これらの肥厚部１５は、前記一片ブロック１０に関しての前記手動作動要素２０の移動を選択的に防止又は許すように手動作動要素２０と協働する。より詳細には、前記肥厚部１５は手動作動要素２０の内部に突出する、好適には軸方向に突出するひとつ又はそれ以上のタブ２５と協働し、これらのタブ２５は作動が防止されている休止状態において前記肥厚部１５に当接する。手動作動要素のこの休止、すなわち第１の位置において、特に図１及び図３ａに示されるように、手動作動要素２０に及ぼされる力はなんの効力もなく、流体が分与装置により分与されることはない。
前記一片ブロック１０に取付けられている手動作動要素２０を保持するために、有益には締結装置１９が前記一片ブロック１０に、有益には基体１４の頂部周囲縁に設けられている。これらの締結装置１９は、手動作動要素２０の底部周囲縁に設けられているひとつ又はそれ以上の肩部２２と協働することができる。特に図９に見ることができるように、これらの締結装置１９は、例えば分与装置の作動が防止されている手動作動要素２０の第１の位置、すなわち休止位置において、組立て中における基体１４への手動作動要素２０の取付けを容易にする特殊の形状部１９ａを有する。この特殊形状部は、例えば、手動作動要素２０を肩部２２で次第にかつ弾性的に変形させることができるランプ１９ａの形で実施される。締結装置１９のためのこの特殊形状部１９ａは、好適には、手動作動要素２０が一片ブロック１０に取付けられる位置を限定し、この位置は有益には手動作動要素の前記第１の位置に相当する。
本発明によれば、手動作動要素２０は好適には一片ブロック１０上で回転するように取付けられている。したがって、使用者が流体を分与せしめることを望むときには、手動作動要素２０を一片ブロック１０に関してその主軸線まわりに手動作動要素２０のための第２の位置（“準備”位置と称され、この位置では割出し装置１５がもはや手動作動要素２０と協働しない）に向って回転させることが必要とされる。換言すれば、特に図３ｂに示される、手動作動要素２０のこの第２の位置において、手動作動要素２０の内部に設けられているタブ２５は一片ブロック１０の肥厚部１５に載っておらず、その作動はもはや防止されない。有益には、一片ブロック１０は、その外面上に、前記第１及び第２の位置間の回転方向を限定する第１の回転当接装置１８ａと、手動作動要素２０の第２の位置を限定する第２の回転当接装置１８ｂとを有する。より詳細には、これらの回転当接装置は、一片ブロック１０の外面から突出し、手動作動要素２０の回転中に手動作動要素２０の前記肩部２２と協働する突出部により実施することができる。
有益には、エネルギ蓄積装置は、ひとつ又はそれ以上のスタッド１２の形で、特に、一片ブロック１０の外面上に設けられた２つの直径方向で対向するスタッドの形で実施される。図３ｂに見ることができるように、前記スタッドは手動作動要素２０の肩部２２と協働し、一片ブロック１０に関する手動作動要素２０の軸方向移動に対して一定量の抵抗を生じせしめる。したがって、使用者が一回分の量の流体を噴霧しようとするときには、使用者は力を分与装置に及ぼし、手動作動要素２０を一片ブロック１０上で軸方向に移動させるように付勢するが、この移動はスタッド１２により防止される。それにもかかわらず、手動作動要素２０は好適には適当なプラスチックス材料で作られているので、手動作動要素２０は弾性的に変形することができ、したがって予め決められた最小の力が分与装置に及ぼされるたびに前記肩部２２を前記スタッド１２を越えて通過させることができる。したがって、前記最小の力に相当するこの閾は、エネルギを使用者の手に蓄積させることができるようにし、手動作動要素２０の肩部２２が一片ブロックのスタッド１２を越えて通過したときに、使用者の手に蓄積されている前記エネルギの全部が分与装置にいきなり伝達され、その結果、一回分の量の流体全部が噴霧される。したがって、一回の分与工程の一部分のみが進む危険はなく、その結果一回分の量の一部分のみが分与される危険もない。
図面に示される好適な例は、２回分与式分与器に相当する。この例において、分与装置は、タンク１１の内容物を２回、好適には等しい量での２回の分与に分割するようにされている分割装置１６を有する。本発明において、前記分割装置１６は一片ブロック１０と一体に作られている。有益には、前記分割装置はひとつ又はそれ以上の肥厚部１６により形成され、これらの肥厚部１６は、割出し装置として働く肥厚部１５と一緒に、軸方向の少なくともひとつの段を構成する。これらの第２の肥厚部１６は、第１の肥厚部１５と整列して基体１４の内面の第２の部分にわたって延び、したがって、１回目分の流体が放出される終りにおいて、第２の肥厚部１６は手動作動要素２０の前記タブ２５と協働し、一片ブロック１０に関して手動作動要素２０の軸方向移動を停止せしめる。前記分割装置１６は、また、このような作用の下で第２の割出し装置として働き、準備位置において１回目分の流体が放出された後に、これらの割出装置１６は２回目分の流体が放出されるのを防止する。特別に有益な実施例は、２つの直径方向で対向する肥厚部によりなし遂げられ、一方の肥厚部は第１の割出し装置を形成するために基体１４の頂部周囲縁にまで第１の部分１５にわたって延びており、また他方の肥厚部は第２の割出し装置としても働く分割装置を形成するために基体１４とタンク１１との間の環状隙間の約半分だけ第２の部分１６にわたって延びている。前記基体１４の内面の一部分は、２回目の分与を行う目的のために手動作動要素２０を動かすのを許容するため、肥厚部をなくしなければならない。上述したと同じ方法で、２回目の分与を行うことができるようにするために、手動作動要素２０は一片ブロック１０上を第３の位置にまで回転させられ、この第３の位置ではタブ２５はもはや第２の肥厚部１６に協働しなく、これにより２回目の分与を行うことができる。
有益には、また、第２のエネルギ蓄積装置１３を設けることがなされる。この第２のエネルギ蓄積装置は、好適には、第１のエネルギ蓄積装置と同様に一片ブロック１０の外面から突出するスタッドの形で実施され、２つのスタッド１３は有益には第１の２つのスタッドと同様に互いに直径方向で対向する。同様に、また、第３の回転当接装置１８ｃを設けることも利点であり、この第３の当接装置は、手動作動要素２０の第３の位置を限定する働きをなし、有益には第１及び第２の当接装置１８ａ及び１８ｂと同様な方法で作られる。したがって、手動作動要素２０の第３の位置において、手動作動要素２０の肩部２２は、上述した第１のスタッドと同じような方法で作用するスタッド１３と協働し、２回目の分与を行うときに使用者の手にエネルギを蓄積せしめる。特に図４、図５及び図６に見ることができるように、それぞれ直径方向で対向する一対のスタッドにより形成されている前記第１のエネルギ蓄積装置１２及び前記第２のエネルギ蓄積装置１３は、これらの二対のスタッドが基体の外面上で互いに軸方向及び角度的、すなわち周方向にオフセットされるような方法で作られている。この方法において、分与装置を作動するためには使用者は最初に手動作動要素２０を作動が防止されるその第１の位置から第２の位置に回転せしめ、それから使用者は１回目の分与を行い、手動作動要素が再びその第２の位置からその第３の位置に回転させられた後は、これにより分与装置を再び作動して２回目の分与を行うことができる。
一片ブロック１０の外面に設けたエネルギ蓄積装置の特別の利点は、前記スタッドが分与インジケータとしても働くことができることにある。すなわち、スタッド１２及び１３の両方が見えるときには、まだ分与がなされていないことを意味する。２つのスタッドの一方のみが見えるときには、１回の分与がなされていることを意味する。２つのスタッドが見えないときには、２回の分与がなされていることを意味する。
以上述べたように、図面に示される本発明の好適な実験例において、一片ブロック１０は基体と、タンクと、エネルギ貯蓄装置と、割出し装置と、分与分割装置と、手動作動要素の位置を限定する回転当接装置と、手動作動要素を一片ブロックに保持する締結装置とを統合している。したがって、本発明は、分与装置のための幾つかの構成部品を省略することができる。また、エネルギ蓄積装置は基体とタンクとの間の中空の環状隙間に設けられないで、基体の外面に設けられるので、前記一片ブロックは例えばモールディングにより簡単かつ安価な方法で作ることができる。より詳細には、上述した好適な構成又は本発明により保護される他の構成において、分与装置の構成部品のすべては、いかなるアンダーカットも包含しないことから簡単かつ低コストであるモールドにより作ることができる。そして、分与装置の組立ても、部品の数が少ないことから非常に容易となる。したがって、本発明の分与装置の製作及び組立てコストは、その作動を信頼性を冒すことなしに、非常に低い。
以上本発明を２回分与式分与器を構成する好適な実験例を参照にして詳述してきたけれども、本発明は勿論２回以上分与することができる多分与式分与器にも適用でき、この場合には、分割装置及びエネルギ蓄積装置がそれぞれの分与回数に応じて設けられる。また、タンク１１は一片ブロックの一体部分とする必要はないが、この場合には、一片ブロックに例えばスナップ係合により固定される。更に、タンク１１の内部には密封を改善する目的のためにガラス又は任意の他の適当な材料のシリンダを設けることができる。
【図１】
0004045557.tif 000002
【図２】
0004045557.tif 000003
【図３ａ】
0004045557.tif 000004
【図３ｂ】
0004045557.tif 000005
【図４】
0004045557.tif 000006
【図５】
0004045557.tif 000007
【図６】
0004045557.tif 000008
【図７ａ】
0004045557.tif 000009
【図７ｂ】
0004045557.tif 000010
【図８】
0004045557.tif 000011
【図９】
0004045557.tif 000012